(57)【要約】【課題】ピアノのアクション機構において、シャンクローラとジャックの先端とが離鍵時に接触するのを防ぐことにより、押鍵時のタッチ感を良好に維持する。【解決手段】レピティションレバー１６の前部であるレバー前部１６ｃには、上下方向に貫通するジャック案内孔１６ａが形成されており、このジャック案内孔１６ａ内部には、支持部１６ｂが、レバー前部１６ｃにおけるジャック案内孔１６ａの前後端を掛け渡すように設けられている。そして、支持部１６ｂの両側面およびジャック案内孔１６ａの内壁１６ｄ，１６ｄ間には、ジャック１８の２つのハンマー突上げ部１８ｃ，１８ｃがそれぞれ位置している。これらハンマー突上げ部１８ｃと離鍵状態のシャンクローラ１９との間に微小な間隔が維持されるように、支持部１６ｂとレバー前部１６ｃとが協働してシャンクローラ１９を支持している。【選択図】図２
2004177677.tif 000002
【特許請求の範囲】
【請求項１】
鍵盤の押鍵に伴って作動し、下面にシャンクローラを取り付けたハンマーを、レピティションレバーおよびジャックを介して回転させて打弦を行わせるピアノのアクション機構であって、
前記レピティションレバーは、
その一端（以下、レバー前部と称す。）にて前記シャンクローラを支持しており、
さらに、前記レバー前部を上下方向に貫通して前後方向に延び、且つ前記ジャックの上端部を前後方向へ移動自在にその内部に係合させるジャック案内孔と、
前記ジャックが押鍵時および離鍵時に移動する空間から外れた場所に位置し、前記シャンクローラを、前記レバー前部と協働して離鍵時の前記ジャックの上端部よりも上方に位置させる支持部と、
を備えることを特徴とするピアノのアクション機構。
【請求項２】
請求項１記載のピアノのアクション機構において、
前記支持部は、前記シャンクローラを移動可能に支持するように構成されていることを特徴とするピアノのアクション機構。
【請求項３】
請求項２記載のピアノのアクション機構において、
前記支持部は、前記ジャック案内孔の内部に配されており、
且つ前記支持部における前記シャンクローラを支持する部位が、離鍵時の前記ジャックの上端部よりも上方に位置するように構成されていること
を特徴とするピアノのアクション機構。
【発明の詳細な説明】
【０００１】
【発明の属する技術分野】
本発明は、ピアノのアクション機構に関する。
【０００２】
【従来の技術】
鍵盤の押鍵に伴って作動し、ハンマーを回転させ、打弦を行わせるピアノのアクション機構が知られている（例えば、特許文献１参照。）。このようなピアノのアクション機構は、図１にて例示するように（なお、本発明の全体構成は従来と同じであるため、ここでは本発明の全体構造を示している図１を用いて説明する。）、後端部を中心に回転自在で、鍵１１の後部に載置されたウイッペン１５、ウィッペン１５に回転自在に取り付けられたレピティションレバー１６、レピティションレバー１６と同様にウィッペン１５に回転自在に取り付けられたジャック１８、ハンマーシャンク２２およびハンマー２３などを備えている。
【０００３】
このうち、レピティションレバー１６は、図４に例示するように、その前部であるレバー前部１６ｃに、上下方向に貫通するジャック案内孔１６ａを備えている。また、レピティションレバー１６が木製である場合、このレバー前部１６ｃの上面には、シャンクローラ１９との摩擦を軽減するための黒鉛（図示せず）が塗られたうえで、シャンクローラ１９が載置されている。
【０００４】
一方、ジャック１８は、図１に例示するように、Ｌ字状に形成されており、上下方向に延びるハンマー突上げ部１８ａが、レピティションレバー１６のジャック案内孔１６ａに、これに沿って移動自在に係合するとともに、シャンクローラ１９と微小な間隔を存して対向している（図４参照）。このために、（１）鍵１１が押鍵され始めてからジャック１８のハンマー突上げ部１８ｃがシャンクローラ１９に当接するまでの間にわずかなタイムラグが発生し、（２）また、押鍵時におけるハンマー突上げ部１８ｃの先端部とシャンクローラ１９との摩擦を軽減しており、このことが、良好なタッチ感を実現するための重要な要素となっている。
【０００５】
【特許文献１】
特開平０９−２８１９５９号公報（第３頁、図３）
【０００６】
【発明が解決しようとする課題】
しかし、シャンクローラ１９が、弾性を有する材料から作られている場合、演奏時に押鍵・離鍵を繰り返すうちに、ハンマーシャンク２２およびハンマーヘッド２３の重みによりシャンクローラ１９のレピティションレバー１６との当接部分（両端付近）が凹んでしまい、シャンクローラ１９の中央部がレピティションレバー１６のジャック案内孔１６ａの中に沈み込む。すると、このシャンクローラ１９の中央部が、レピティションレバー１６のジャック案内孔１６ａの中に位置するジャック１８の先端部に当接する。このことにより、押鍵時において上述のようなタイムラグが発生しなくなるとともに、ジャック１８の先端部とシャンクローラ１９との摩擦が大きくなり、押鍵時のタッチ感に変化が生じてしまうという問題があった。
【０００７】
本発明は、このような不具合に鑑みなされたものであり、その目的とするところは、ピアノのアクション機構において、シャンクローラ１９とジャック１８の先端とが離鍵時に接触するのを防ぐことにより、押鍵時のタッチ感を良好に維持することにある。
【０００８】
【課題を解決するための手段および発明の効果】
上記課題を解決するためになされた請求項１記載のピアノのアクション機構は、鍵盤（１１：この欄においては、発明への理解の容易化のため、必要に応じて実施の形態中で用いた符号を付すが、この符号によって請求の範囲を限定することを意味するものではない。）の押鍵に伴って作動し、下面にシャンクローラ（１９）を取り付けたハンマー（２２，２３）を、レピティションレバー（１６）およびジャック（１８）を介して回転させて打弦を行わせるピアノのアクション機構であって、前記レピティションレバーは、その一端であるレバー前部（１６ｃ）にて前記シャンクローラを移動可能に支持しており、さらに、前記レバー前部を上下方向に貫通して前後方向に延び、且つ前記ジャックの上端部（１８ｃ）を前後方向へ移動自在にその内部に係合させるジャック案内孔（１６ａ）と、前記ジャックが押鍵時および離鍵時に移動する空間から外れた場所に位置し、前記シャンクローラを、前記レバー前部と協働して離鍵時の前記ジャックの上端部よりも上方に位置させる支持部（１６ｂ）と、を備えることを特徴とする。
【０００９】
従来は、図１を参照して説明したように、シャンクローラ１９におけるレピティションレバー１６との当接部分（両端付近）が、演奏時に押鍵・離鍵を繰り返すうちにハンマーシャンク２２およびハンマーヘッド２３の重みによって凹むと、シャンクローラ１９の中央部がレピティションレバー１６のジャック案内孔１６ａ内部に沈み込んでジャック１８のハンマー突上げ部１８ａの先端部に当接してしまい、押鍵時のタッチ感に変化が生じていた。
【００１０】
そこで、請求項１に係るピアノのアクション機構（１）においては、図２および図３に例示するように、レピティションレバー（１６）が支持部（１６ｂ）を備えている。この支持部は、ジャック（１８）が押鍵時および離鍵時に移動する空間から外れた場所、つまりジャックの動作を妨げない位置にあり、さらに、レバー前部（１６ｃ）と協働して、シャンクローラ（１９）を離鍵時のジャックの上端部よりも上方に位置させる。したがって、ジャックの上端部とシャンクローラとが離鍵時に接触するのを防ぐことができ、押鍵時のタッチ感を良好に維持できる。
【００１１】
この場合、図３（ｂ）に例示するように、支持部（５２ｂ）を、ハンマーを移動可能に支持するように構成してもよい。また、図２および図３（ａ）に例示するように、支持部（図２の支持部１６ｂ，図３（ａ）の支持部５０ｂ）を、シャンクローラを移動可能に支持するように構成してもよい（請求項２）。
【００１２】
さらに、このようにシャンクローラを支持するように支持部を構成する場合、図３に例示するように、支持部（５２ｂ）をジャック案内孔（５２ａ）の外部に配してもよい。また、図２に例示するように、支持部（１６ｂ）を、ジャック案内孔（１６ａ）の内部に配し、且つこの支持部におけるシャンクローラを支持する部位を、離鍵時のジャックの上端部よりも上方に位置するように構成してもよい（請求項３）。このように構成すれば、支持部がシャンクローラをそれよりも下方には行かせないように作用するので、シャンクローラとジャックの上端部とがさらに接触しにくくなって押鍵時のタッチ感を良好に維持できる。
【００１３】
なお、このように支持部がジャック案内孔の内部にある場合、一つの支持部をジャック案内孔のほぼ中央部に配し、シャンクローラのほぼ中央部を支持するようにしてもよい。この場合、ジャックの上端部の形状を、図２に例示するような二股形状にするなど、必要に応じて工夫してもよい。また、複数の支持部を、ジャック案内孔の内部にて例えば横方向に等間隔に配するなどしてもよい。
【００１４】
以上のように、上述の支持部は、ジャックの動作を妨げない位置にあり、且つシャンクローラを離鍵時のジャックの上端部よりも上方に位置させるものであれば、様々に構成することができる。
【００１５】
【発明の実施の形態】
以下、本発明が適用された実施例について図面を用いて説明する。なお、本発明の実施の形態は、下記の実施例に何ら限定されることなく、本発明の技術的範囲に属する限り種々の形態を採りうることは言うまでもない。
【００１６】
［ピアノのアクション機構１の構成］
図１は、実施例のピアノのアクション機構１を表す断面図である。なお、以降、このピアノのアクション機構１（以下、単に「アクション機構１」において、演奏者が演奏する側（図１で左側）を「前側」とし、演奏者が演奏する側の反対側（図１では右側）を「後側」とする。このアクション機構１は、演奏者の操作によって揺動する鍵１１と、鍵１１が押されると上昇するキャプスタンスクリュー１２と、ウイッペンフレンジ１３を介してウイッペンレール１４に回転可能に支持され、キャプスタンスクリュー１２の上昇によって上向きに回転するウイッペン１５と、その先端部に長孔（以下、「ジャック案内孔」と称す。）１６ａを有し、ウイッペン１５の上昇によってウイッペン１５上の支柱１５ａの先端に回転可能に支持されたレピティションレバー１６と、ウイッペン１５の先端に回転可能に連結され、その上端部（以下、「ハンマー突上げ部」と称す。）１８ａがレピティションレバー１６のジャック案内孔１６ａの内部に位置し、レギュレチングボタン１７に当接するまでウイッペン１５と共に上昇するジャック１８と、レピティションレバー１６の前部（以下、レバー前部と称す。）１６ｃの上面に当接し、ジャック１８のハンマー突上げ部１８ａに突き上げられるとレバー前部１６ｃの上面から分離するシャンクローラ１９と、シャンクフレンジ２０を介してシャンクレール２１に回転可能に支持され、シャンクローラ１９が突き上げられると上向きに回転するハンマーシャンク２２と、ハンマーシャンク２２の先端に装着され、ハンマーシャンク２２の回転により上方に移動して弦２５を叩くハンマーヘッド２３等から構成されている。
【００１７】
［レピティションレバー１６の構成］
このうち、レピティションレバー１６は、図２に示すように、その断面が矩形状で、斜め前上がりに前後方向に延びており、上述のように、その中央部がウィッペン１５の支柱１５ａの先端に回転自在に取り付けられている。このレピティションレバー１６の前部であるレバー前部１６ｃには、上下方向に貫通するジャック案内孔１６ａが前後方向に延びるように形成されている。そして、このジャック案内孔１６ａ内部には、その断面が略方形状である支持部１６ｂが、レバー前部１６ｃにおけるジャック案内孔１６ａの前後端を掛け渡すように設けられている。
【００１８】
ここで、支持部１６ｂの各面のうち、その上面は、レバー前部１６ｃの上面とほぼ同じ高さに形成されており、離鍵時にはこのレバー前部１６ｃとともに、後述するシャンクローラ１９を支持する。また、支持部１６ｂの両側面は、ジャック案内孔１８の内壁１６ｄ，１６ｄと平行となるように形成されており、これら支持部１６ｂの両側面および内壁１６ｄ，１６ｄ間には、後述するジャック１８の２つのハンマー突上げ部１８ｃ，１８ｃがそれぞれ位置している。さらに、支持部１６ｂの下面は、レピティションレバー１６の下面とほぼ同じ高さに形成されている。
【００１９】
また、レバー前部１６ｃの上面におけるジャック案内孔１６ａよりも前側には、レバースキン１６ｅが貼り付けられている。そして、レピティションレバー１６が木製である場合、レバー前部１６ｃの上面におけるその他の部分には、シャンクローラ１９との摩擦を軽減するために黒鉛（図示せず）が塗られている。
【００２０】
さらに、図１に示すように、レピティションレバー１６の後部には、レバースクリュー１６ｆが上下方向に貫通した状態で進退自在に螺合しており、その下端部にレバーボタン１６ｇが一体に設けられている。また、レピティションレバー１６は、ウィッペン１５に取り付けたレピティションスプリング１５ｂによって、復帰方向（図１における反時計方向）に付勢されており、このことによりレバーボタン１６ｇがウィッペン１５の上面に当接している。そして、レバースクリュー１６ｆを回すことによって、離鍵状態におけるレピティションレバー１６の角度を調整することが可能である。
【００２１】
［ジャック１８の構成］
一方、アクション機構１を構成するジャック１８は、上下方向に延びる断面矩形のジャック本体１８ａと、ジャック本体１８ａの下端部から後方にほぼ直角に延びるレギュレチングボタン当接部１８ｂとから、Ｌ字状に形成されており、その角部においてウィッペン１５の前端部に回転自在に取り付けられている。そして、このジャック１８は、レピティションレバー１６を付勢するレピティションスプリング１５ｂによって、復帰方向（図１における反時計方向）に付勢されている。また、図２に示すように、このうちのジャック本体１８ａの上端部には２つのハンマー突上げ部１８ｃが設けられている。これら２つのハンマー突上げ部１８ｃは、二股形状を形成しており、レピティションレバー１６の支持部１６ｂを挟む姿勢で、支持部１６ｂの両側面およびジャック案内孔１６ａの内壁１６ｄ，１６ｄの間にそれぞれ前後方向に移動自在に係合している。このように、ジャック１８が押鍵時および離鍵時に前後方向に移動する際に、ハンマー突上げ部１８ｃの移動が妨げられないように構成されている。
【００２２】
また、図１に戻り、このジャック１８とウイッペン１５との間には、ジャック１８の位置調整機構である調整部材３０が設けられている。この調整部材３０は、ストップスクリュー３１、ストップボタン３２およびボタンフェルト３３から構成されており、さらにボタンフェルト３３はスプーン４０の先端部に係止されている。このストップスクリュー３１を回すことによって、離鍵状態におけるジャック１８の角度位置を調整することができる。
【００２３】
［ハンマーシャンク２２の構成］
ところで、アクション機構１を構成するハンマーシャンク２２は、上述のように、シャンクフレンジ２０を介してシャンクレール２１に回転可能に支持されている。このハンマーシャンク２２は、その下面後部に取り付けられたシャンクローラ１９を介してレピティションレバー１６のレバー前部１６ｃに載置されており、押鍵時にシャンクローラ１９が突き上げられると上向きに回転し、ハンマーシャンク２２の先端に装着されたハンマーヘッド２３が弦２５を叩くように構成されている。また、ハンマーシャンク２２を回転可能に支持するシャンクフレンジ２０の下面には、レピティションレバー１６の上方への回転を規制するレピティションスクリュー２０ａが進退自在に螺合し、レピティションレバー１６の前端部に貼り付けられたレバースキン１６ｅと所定の間隔をもって対向している。
【００２４】
［シャンクローラ１９の構成］
ここで、シャンクローラ１９は、例えば内側のクロスとその外側に巻いたスキンとから円柱状に形成され、ハンマーシャンク２２の下面後部に取り付けられている。そして、このシャンクローラ１９は、レバー前部１６ｃの上面および支持部１６ｂに載置されている。このことにより、離鍵時のシャンクローラ１９と、ハンマー突上げ部１８ａとの間には、微小な間隔（本実施例では約０．２ｍｍ）が形成されている。
【００２５】
なお、アクション機構１の他の構成は公知技術に従っているので、詳細な説明は省略する。
［アクション機構１の動作］
次にアクション機構１の動作を説明する。
【００２６】
上述のような離鍵状態から鍵１１が押鍵されると、ウィッペン１５が突き上げられることにより、レピティションレバー１６およびジャック１８がウィッペン１５と一緒に上方に回転する。これらの回転に伴い、まず、レピティションレバー１６が、シャンクローラ１９を摺動させながらこれを介してハンマーシャンク２２を押し上げ、上方に回転させる。次いで、レピティションレバー１６がレピティションスクリュー２０ａに係合してその上方への移動が停止すると、ジャック１８が上方に移動するのに伴い、２つのハンマー突き上げ部１８ｃが、それぞれ支持部１６ｂの両側面およびジャック案内孔１６ａの内壁１６ｄ，１６ｄの間から上方に移動してシャンクローラ１９を介してハンマーシャンク２２を突き上げる。引き続き鍵１１が押鍵されると、ハンマーシャンク２２の先端に取り付けられたハンマーヘッド２３が、上方に張られた弦２５を打弦する直前まで回転した時点で、ジャック１８のレギュレチングボタン当接部１８ｂが、レギュレチングボタン１７に係合することによって、２つのハンマー突上げ部１８ｃが支持部１６ｂの両側面およびジャック案内孔１６ａの内壁１６ｄ，１６ｄの間を前方に移動してシャンクローラ１９の下方から抜ける。このことにより、ハンマーシャンク２２およびハンマーヘッド２３は、鍵１１との連結を解かれ、自由回転状態で弦２５を打弦する。
【００２７】
一方、上述のように押鍵されたのちに鍵１１が離鍵されると、鍵１１が鍵盤深さの１／３程度まで戻されたタイミングにて、レピティションレバー１６が作動し始める。引き続き鍵１１が離鍵されると、レピティションレバー１６が、レピティションスプリング１５ｂのばね力で復帰回転（図１の反時計方向に回転）することによって、シャンクローラ１９を摺動させながら押し上げる。これにより、ジャック１８が、レピティションスプリング１５ｄのばね力で復帰回転（図１の反時計方向に回転）し、その２つのハンマー突上げ部１８ｃが支持部１６ｂの両側面およびジャック案内孔１６ａの内壁１６ｄ，１６ｄの間を後方に移動してシャンクローラ１９の下方に移動することによって、鍵１１が完全に戻らなくても次の打弦が行えるようになる。この状態においては、トリルのように連続して同じ鍵１１を叩く奏法を行うことができる。
【００２８】
さて、引き続き鍵１１が離鍵されると、鍵１１がその初期位置に復帰する。この鍵１１の回転に伴い、ウイッペン１５やレピティションレバー１６、ジャック１８も押鍵時とは逆の方向に移動し、その初期位置に復帰する。
［効果］
このように、本実施例のアクション機構１においては、支持部１６ｂおよびレバー前部１６ｃが、ハンマー突上げ部１８ｃの上端部と離鍵状態であるシャンクローラ１９との間に形成された微小な間隔が維持されるように、協働してシャンクローラ１９を支持する。したがって、ハンマー突上げ部１８ｃとシャンクローラ１９とが離鍵時に接触するのを防ぐことができ、押鍵時のタッチ感を良好に維持できる。
【００２９】
［別実施例］
（１）上記実施例のレピティションレバー１６の支持部１６ｂは、ジャック案内孔１６ａ内部にあり、その上面がレバー前部１６ｃの上面とほぼ同じ高さに形成されているが、（イ）押鍵時および離鍵時のジャック１８の移動を妨げず、（ロ）且つハンマー突上げ部１８ｃと、離鍵状態のシャンクローラ１９との間の微小な間隔が維持されれば、このような構成には限られない。すなわち、図３（ａ）に例示するように、レピティションレバー５０の支持部５０ｂが、ジャック案内孔１６ａの外部からシャンクローラ１９を支持するように構成してもよいし、また、図３（ｂ）に例示するように、レピティションレバー５２の支持部５２ｂが、シャンクローラ１９の代わりにハンマーシャンク２２を支持するように構成してもよい。
（２）上記実施例のレピティションレバー１６の支持部１６ｂの下面は、レピティションレバー１６の下面とほぼ同じ高さに形成されているが、押鍵時および離鍵時におけるジャック１８の動作を妨げなければ、レピティションレバー１６の下面よりも上方にあってもよいし、下方にあってもよい。
（３）上記実施例のレピティションレバー１６の支持部１６ｂを複数設け、例えば横方向に等間隔に配してもよい。さらにこの場合、支持部１６ｂに分けられたジャック案内孔１６ａのうちの少なくとも一つ以上に、ハンマー突上げ部１８ｃを差し入れるようにジャック１８を構成してもよい。
【図面の簡単な説明】
【図１】実施例のピアノのアクション機構を表す断面図である。
【図２】実施例のピアノのアクション機構のレピティションレバーおよびジャックを示す上面図（ａ）、側面図（ｂ）および正面図（ｃ）である。
【図３】（ａ）および（ｂ）は、レピティションレバーの別実施例を示す説明図である。
【図４】従来のピアノのレピティションレバーおよびジャックを示す上面図（ａ）、側面図（ｂ）および正面図（ｃ）である。
【符号の説明】
１・・・ピアノのアクション機構、１１・・・鍵、
１２・・・キャプスタンスクリュー、１３・・・ウイッペンフレンジ、
１４・・・ウイッペンレール、１５・・・ウイッペン、１５ａ・・・支柱、
１５ｂ・・・レピティションスプリング、
１６，５０，５２・・・レピティションレバー、
１６ａ，５０ａ，５２ａ・・・ジャック案内孔、
１６ｂ，５０ｂ，５２ｂ・・・支持部、
１６ｃ，５０ｃ，５２ｃ・・・レバー前部、１６ｄ・・・内壁、
１６ｅ，５０ｅ、５２ｅ・・・レバースキン、１６ｆ・・・レバースクリュー、
１６ｇ・・・レバーボタン、１７・・・レギュレチングボタン、
１８，５１，５３・・・ジャック、１８ａ・・・ジャック本体、
１８ｂ・・・レギュレチングボタン当接部、
１８ｃ，５１ｃ，５３ｃ・・・ハンマー突上げ部
１９・・・シャンクローラ、２０・・・シャンクフレンジ、
２１・・・シャンクレール、２２・・・ハンマーシャンク、
２３・・・ハンマーヘッド、２５・・・弦、３０・・・調整機構
３１・・・ストップスクリュー、３２・・・ストップボタン、
３３・・・ボタンフェルト、４０・・・スプーン
【図１】
2004177677.tif 000003
【図２】
2004177677.tif 000004
【図３】
2004177677.tif 000005
【図４】
2004177677.tif 000006